(57)【要約】 【課題】  下側へのバウンス角度を大きくし、近距離撮影の場合にもカメラボディとの干渉なくバウンスライト可能なバウンス機構を備えたストロボ装置の提供【解決手段】  ストロボ装置１０の本体１の上部に発光部２を光軸に対して下向きに略１０度、上向き９０度の範囲で回動可能とする第１のバウンス軸部３−１を設け、本体１の下部に本体１を光軸に対して略０度から下向きに略９０度の範囲で回動可能とする第２のバウンス軸部３−２を設ける。第２のバウンス軸部３−２を設けたことにより、下方に大きな角度でバウンスできるので、被写体とカメラの距離が近い場合でも十分フラッシュ光を届けることができる。【選択図】  図１
2007322454.tif 000002
【特許請求の範囲】
【請求項１】
発光部のバウンス機構を備えたストロボ装置において、本体の上部に設けられ、前記発光部をロック可能な第１のバウンスロック機構と、前記本体の下部に設けられ、該本体をロック可能な第２のバウンスロック機構と、を備えたことを特徴とするストロボ装置。
【請求項２】
前記第１のバウンス機構は前記発光部を下向きに１０度、上向きに９０度の範囲内の位置でロック可能であり、前記第２のバウンス機構は前記本体を水平位置から下向きに略３０度から略９０度の範囲内の位置でロック可能であること、を特徴とする請求項１に記載のストロボ装置。
【発明の詳細な説明】
【技術分野】
【０００１】
本発明は、デジタルカメラ等の撮像装置に接続して用いるストロボ装置のバウンス機構に関する。
【背景技術】
【０００２】
ストロボ撮影の際、自然な感じを出すために被写体に直接ストロボ光を発射するのではなく、バウンスライティングによるフラッシュ撮影法がある。バウンスライティングには、閃光の照射方向を撮影レンズの光軸に対して上方または横に向け、天井または壁からの反射光により被写体を照明する方法等がある。バウンスライティング可能なストロボ装置には発光部にバウンスクリック機構が設けられており、予め設定された複数のバウンス位置で発光部を保持する
【０００３】
例えば、特許文献１には、発光部のバウンス機構を備えた電子閃光装置において、少なくとも発光部の光軸が撮影レンズの光軸に対して上方に向く位置で発光部をロック可能なバウンスロック機構を備えるようにして 発光部の光軸が撮影レンズの光軸に対して上方に向く位置で発光部をロック可能な電子閃光装置が記載されている。
【特許文献１】特開平０６−１８９６５号公報
【発明の開示】
【発明が解決しようとする課題】
【０００４】
しかしながら、従来のストロボ装置のバウンス機構は図７に示すようにストロボ装置７０の本体１の上部に発光部２を下向きに略１０度、上向き９０度の範囲で回動可能とするバウンス軸部３を設けた構造をなしているので大型のクリップオンストロボの場合、このバウンス角度ではレンズとのパララックスが大きいため被写体とカメラの距離が近い場合には光が届きにくいといった課題があった。また、図に示すような上部に１箇所だけバウンス軸部３を設けた構造のバウンス機構で下側に（１０度を超えた角度で）大きくバウンスするとカメラのボディ側にフラッシュ光が干渉するため、回動範囲を下側に拡大することは難しいといった課題があった。
【０００５】
本発明は上記課題を解決するためになされたものであり、下側へのバウンス角度を大きくし、近距離撮影の場合にもカメラボディとの干渉なくバウンスライト可能なバウンス機構を備えたストロボ装置の提供を目的とする。
【課題を解決するための手段】
【０００６】
上記課題を解決するために、請求項１に記載の発明では、発光部のバウンス機構を備えたストロボ装置において、本体の上部に設けられ、発光部をロック可能な第１のバウンスロック機構と、本体の下部に設けられ、該本体をロック可能な第２のバウンスロック機構と、を備えたことを特徴とするストロボ装置を提供する。  
これにより、第１のバウンスロック機構による角度に加え、第２のバウンスロック機構による角度により下方に大きな角度でバウンスできるのでレンズとのパララックスが小さくなる。また、被写体とカメラとの距離が近い場合でも十分フラッシュ光を届けることができる。
【０００７】
また、請求項２に記載の発明では、第１のバウンスロック機構は発光部を下向きに１０度、上向きに９０度の範囲内の位置でロック可能であり、第２のバウンスロック機構は本体を水平位置から下向きに略３０度から略９０度の範囲内の位置でロック可能であること、を特徴とする請求項１に記載のストロボ装置を提供する。  
第２のバウンスロック機構を設けたことにより近接撮影等の近距離撮影がより可能となった。
【発明の効果】
【０００８】
本発明によれば、第２のバウンス軸部を設けたことにより、従来のストロボ装置のバウンス構造によるバウンス角度よりもさらに下向きにバウンスすることができるのでレンズとのパララックスが無くなる。また、本体を下方に傾けた分だけ被写体とカメラとの距離が近い場合でも十分フラッシュ光を届けることができる。
【発明を実施するための最良の形態】
【０００９】
図１は本発明に基づくストロボ装置の一実施例の要部を透視した側断面図、図２はストロボ装置の本体下部の断面図であり、符号１はストロボ装置１０の本体、符号２は発光部、符号３−１は本体１の上部に設けられ発光部２を撮影レンズの光軸に対して下向きに略１０度〜上向きに９０度の範囲で回動可能とする第１のバウンス軸部、符号３−２は本体１の下部に設けられ本体１を撮影レンズの光軸に対して略０度〜下向きに略９０度の範囲で回動可能とする第２のバウンス軸部、符号４はデジタルカメラ等の電子機器にストロボ装置１０を固定すると共に電気的にも接続する台部、符号５は本体１のフロントケース、符号６は本体１のリアケース、符号７は第２のバウンス軸部３−２を含むシューケースＡＳＳＹ（集合部材）を示す。これらの符号の意味は後述する図２〜図６においても同様である。また、第１のバウンス軸部３−１は本発明の第１のバウンスロック機構に相当し、第２のバウンス軸部３−１は本発明の第２のバウンスロック機構に相当する。
【００１０】
図３は第２のバウンス軸部３−２の断面図であり、図３で、符号３−２−１はビス止め用穴、符号３−２−２はクリックスプリング、３−２−３はクリックピン、３−２−４は軸、３−２−５はロックノブ、３−２−６は回転台である。軸３−２−４の両端はシューケースＡＳＳＹ７の両端で軸支され、図４に示すように本体１の下部に取り付けられたシューケースＡＳＳＹ７を介して本体１を前方に略０度〜下向きに略９０度の範囲で回動可能とする。クリックスプリング３−２−２、クリックピン３−２−３、ロックノブ３−２−５は本体１の回動範囲内の位置でロックするバウンスロック機構をなし、又その操作でロックが解除される。
【００１１】
図４は第２のバウンス軸部３−２を含むシューケースＡＳＳＹ７の本体１への取り付け説明図であり、本体１の縦断面を示している。図４（ａ）は本体１と本体１に取り付ける前のシューケースＡＳＳＹ７を示し、本体１のフロントケース５の下部にはシューケースＡＳＳＹ７のフロント側を嵌合してシューケースＡＳＳＹ７を本体１の下部に固定する嵌合部５−１が設けられている。また、シューケースＡＳＳＹ７には第２のバウンス軸部３−２がその構造の一部として組み込まれている。図４（ｂ）はシューケースＡＳＳＹ７を本体１の下部に組み込む様子を示し、本体１のフロントケース５とリアケース６でシューケースＡＳＳＹ７を挟み込むようにしてＡＳＳＹ７のフロントケース５とリアケース６を嵌合部５−１に嵌め合わせて固定する。図４（ｃ）はシューケースＡＳＳＹ７を組み込んだ本体１を３０度回転させた状態を示し、本体１はフロントケース５の下部でシューケースＡＳＳＹ７に固定されるので、向かって右方向に付勢されると第２のバウンス軸部３−２を中心として右に回転する。
【００１２】
図５は本発明に基づくストロボ装置１０によるバウンス動作（発光部２を回転させない場合）の説明図であり、本体１の側面を示している。図５（ａ）において、ストロボ装置１０は発光部２を撮影レンズの光軸に対して水平に保っている。この状態で、本体１と発光部２のなす角度を９０度、本体１と台部４とのなす角度を０度とすると、図５（ｂ）は本体１と発光部２のなす角度を０度、本体１と台部４のなす角度を下向きに３０度とした状態、つまり、発光部２を傾けず、本体１だけを第２のバウンス軸部３−２を中心として３０度回転させてロックし、結果的に発光部２を下方に３０度傾けた状態を示している。このように、第２のバウンス軸部３−２を設けたことにより、結果的に発光部２を大きく下向きに傾けることができる。このまま更に、本体１を下方に４５度回転させると発光部２は真下を照射するが、本体１の長さに対応する距離分カメラから発光部２が離れるので、第２のバウンス軸部３−２を設けたことにより近接撮影等の近距離撮影の場合にもカメラボディとの干渉なく大きくバウンスすることが可能となる。
【００１３】
図６は本発明に基づくストロボ装置によるバウンス動作（発光部および本体を回転させた場合）の説明図である。図６（ａ）において、ストロボ装置１０は発光部２を撮影レンズの光軸に対して下向きに１０度傾け、本体１を下向きに垂直に保った状態を示している。また、図６（ｂ）は図６（ａ）の状態から更に本体１を第２のバウンス軸部３−２を中心として３０度回転させてロックし、結果的に発光部２を下方に４０度傾けた状態を示している。このように、第１のバウンス軸部３−1に加えて第２のバウンス軸部３−２を設けたことにより、発光部２をより下向きに傾けることができる。このまま更に、本体１を下方に４５度回転させると、発光部２は真下より更にカメラ側の下部を照射するが、本体１の長さに対応する距離分カメラから発光部２が離れる。つまり、第２のバウンス軸部３−２を設けたことにより近接撮影等の近距離撮影の場合にもカメラボディとの干渉なくバウンスライトすることが可能となる。
【００１４】
以上、本発明の実施例について説明したが本発明は上記実施例に限定されるものではなく、種々の変形実施が可能であることはいうまでもない。
【図面の簡単な説明】
【００１５】
【図１】本発明に基づくストロボ装置の一実施例の要部を透視した側断面図である。
【図２】ストロボ装置の本体下部の断面図である。
【図３】第２のバウンス軸部の断面図である。
【図４】第２のバウンス軸部を含むシューケースＡＳＳＹの本体への取り付け説明図である。
【図５】本発明に基づくストロボ装置によるバウンス動作（発光部を回動させない場合）の説明図である。
【図６】本発明に基づくストロボ装置によるバウンス動作（発光部および本体を回動させた場合）の説明図である。
【図７】従来のストロボ装置のバウンス構造の説明図である。
【符号の説明】
【００１６】
１  本体  
２  発光部  
３  バウンス軸部  
３−１  第１のバウンス軸部  
３−２  第２のバウンス軸部  
４  台部  
５  本体のフロントケース  
６  本体のリアケース  
７  シューケースＡＳＳＹ  
１０  ストロボ装置
【図１】
2007322454.tif 000003
【図２】
2007322454.tif 000004
【図３】
2007322454.tif 000005
【図４】
2007322454.tif 000006
【図５】
2007322454.tif 000007
【図６】
2007322454.tif 000008
【図７】
2007322454.tif 000009